(57)【要約】【課題】低コストで、かつ回収率が大きく、環境適合性にも優れた吸着装置を提供する。【解決手段】被処理流体に含まれる被吸着物質を吸着する微粒子からなる吸着剤と、少なくとも前記吸着剤の粒子径よりも大きな孔部を有する担体と、前記孔部の径を変化させる孔径変化手段と、前記孔部の径が前記吸着剤の粒子径よりも大きいときに前記吸着剤を前記担体に供給する吸着剤担体供給手段と、前記孔径変化装置により前記孔部の径を前記吸着剤の粒子径以下に小さくさせて前記吸着剤を前記担体に結合させる吸着剤担体結合手段と、前記担体に結合した吸着剤に被処理流体を接触させて被吸着物質を前記吸着剤に吸着させる吸着剤被吸着物質接触手段と、前記孔径変化手段により前記孔部の径を前記吸着剤の粒子径よりも大きくさせて被吸着物質を吸着した状態で前記吸着剤を前記担体から脱離させる吸着剤回収手段とを有する。【選択図】    図１
2010279915.tif 000002
【特許請求の範囲】
【請求項１】
被処理流体に含まれる被吸着物質を吸着する微粒子からなる吸着剤と、
少なくとも前記吸着剤の粒子径よりも大きな孔部を有する担体と、
前記孔部の径を変化させる孔径変化手段と、
前記孔部の径が前記吸着剤の粒子径よりも大きいときに前記吸着剤を前記担体に供給する吸着剤担体供給手段と、
前記孔径変化装置により前記孔部の径を前記吸着剤の粒子径以下に小さくさせて前記吸着剤を前記担体に結合させる吸着剤担体結合手段と、
前記担体に結合した吸着剤に被処理流体を接触させて被吸着物質を前記吸着剤に吸着させる吸着剤被吸着物質接触手段と、
前記孔径変化手段により前記孔部の径を前記吸着剤の粒子径よりも大きくさせて被吸着物質を吸着した状態で前記吸着剤を前記担体から脱離させる吸着剤回収手段と、
を有することを特徴とする吸着装置。
【請求項２】
前記被処理流体が水であり、前記担体が吸水性物質からなり、
前記孔径変化手段が、前記担体に対して水分の供給と除去を行うことにより前記孔部の径を変化させることを特徴とする請求項１記載の吸着装置。
【請求項３】
前記被処理流体が被吸着物質を含む排水であり、前記担体が吸水性物質からなり、
前記孔径変化手段が、前記被吸着物質を含む排水中に前記担体を浸漬させることにより前記担体に被吸着物質と水分を供給し、前記担体を前記排水中から離脱させることにより前記担体から水分を除去し、前記担体を膨張または収縮させることにより前記孔部の径を変化させることを特徴とする請求項１または２のいずれか１項記載の吸着装置。
【請求項４】
前記被処理流体が被吸着物質を含む排水であり、前記担体が吸水性物質からなり、
前記孔径変化手段が、
前記担体を支持する支持体と、
前記支持体とともに前記担体を、前記被吸着物質を有する排水中と前記排水以外の気相部分とに循環移動させるか、または往復移動させる移動させる担体移動手段と、
を有することを特徴とする請求項１乃至３のいずれか１項記載の吸着装置。
【請求項５】
前記吸着剤回収手段が、前記吸着剤が結合された前記担体の面を機械的に接触または攪拌または振動させることにより前記被吸着物質を吸着した吸着剤を前記担体の孔部から離脱させる吸着剤離脱手段を有することを特徴とする請求項１乃至４のいずれか１項記載の吸着装置。
【請求項６】
前記担体は、温度変化、電気的刺激、ｐＨ変化、および塩濃度変化のうちの少なくとも１つの外部刺激を受けたときに前記孔部の径が変化する機能性物質からなり、
前記孔径変化手段は、前記機能性物質からなる担体に対して前記外部刺激のうちの少なくとも１つを直接または間接に印加して前記孔部の径を変化させることを特徴とする請求項１乃至５のいずれか１項記載の吸着装置。
【発明の詳細な説明】
【技術分野】
【０００１】
本発明は、排水中のリン、ホウ素、フッ素、油分等、あるいは排ガス中のSOx、NOx、CO2等の被吸着物質を吸着剤により吸着して回収する吸着装置に関する。
【背景技術】
【０００２】
従来、排水中のリン等の被吸着物質を吸着処理する場合には、吸着剤が通常０．１〜数１００μｍと極めて小さい微粒子であるため、排水供給速度より吸着剤の沈降速度が小さくなった場合に、槽内に吸着剤を保持することが困難であった。そのため、例えば特許文献１に記載されている吸着剤では、粒径が数ｍｍ以上の大きな担体の表面に接着特性を有するバインダを介して微小な吸着剤を結合させ、全体として粒径を大きくし、かつ比重を高めることにより、吸着剤を流出し難い状態にして、吸着処理をしていた。
【０００３】
図９を参照して従来の吸着剤の概略の構成と作用について説明する。図中の符号１０１は多孔質セラミックスから成る担体、符号１０２はコロイダルシリカから成るバインダ、符号１０３は鉄化合物から成るリンを吸着する吸着剤である。従来の吸着処理においては、先ず図９の（ａ）に示すように担体１０１とバインダ１０２や吸着剤１０３とを加熱、脱水、浸漬、乾燥等の一連の工程を経て処理することにより、吸着剤結合担体１０４を製造する。次いで、図９の（ｂ）に示すように被吸着物質であるリン１０５と当該吸着剤結合担体１０４とを接触させてリン１０５を吸着させることにより、リン結合吸着剤結合担体１０６を形成する。このリン結合吸着剤結合担体１０６は、例えば水酸化ナトリウム溶液のようなアルカリ水溶液１０７を供給・接触させることにより、図９の（ｃ）に示すように結合している被吸着物質たるリン１０５を吸着剤１０３から解離させる。次いで、図９の（ｄ）に示すように解離したリン１０５を含むアルカリ水溶液１０７に対して硫酸水溶液のような酸水溶液１０８を供給し、アルカリ水溶液１０７を中和させる。さらに、中和水溶液１０９中の水分を機械脱水、加熱乾燥等の処理することにより、図９の（ｅ）に示すように中和水溶液１０９中に含まれる被吸着物質たるリン１０５のみを回収被吸着物質として回収する。
【０００４】
上記以外の他の従来方法として、図１０の（ａ）と（ｂ）に示すように、リン結合吸着剤結合担体１０６をそのままの形態で反応系に排出して、これを回収する方法もある。
【先行技術文献】
【特許文献】
【０００５】
【特許文献１】特開２００５−４６７３１号公報
【発明の概要】
【発明が解決しようとする課題】
【０００６】
しかしながら、上記の従来技術においては次の(i)および(ii)の問題点がある。
【０００７】
(i)酸、アルカリ等の化学薬品を使用するために回収コストが過大になる。
【０００８】
図９の従来技術では、リン結合吸着剤結合担体１０６からリン１０５を解離して回収するために、アルカリ水溶液１０７のような解離作用を有する薬品（脱離液）を使用する必要があった。また、リン１０５を回収した後に、これらの薬品を中和するために酸水溶液１０８のような、中和剤となる薬品を使用する必要があった。
【０００９】
(ii)回収率が小さく、環境負荷が高い。
【００１０】
図１０の従来技術では、リン結合吸着剤結合担体１０６をそのままの状態で、土壌等に直接投与して肥料として使用するように、直接それらを反応系外に取り出して回収する。このような方法でリンを回収した場合、当該リン結合吸着剤結合担体１０６中には、被吸着物質たるリン１０５は肥料として土壌に有用であるが、それ以外の担体１０１、バインダ１０２、吸着剤１０３はかかる有用な特性を通常有していない。従って、かかる回収物１０６を土壌等の環境中に投入すると、担体１０１、バインダ１０２および吸着剤１０３などのリン以外の他の物質が高濃度に蓄積し、環境負荷が高くなる。特に、吸着剤１０３は通常、粒子径が０．１〜数１０μｍと小さいのに対して、担体１０１は粒子径が数１００μｍ〜数１０ｍｍと大きいので、有用な成分たるリン１０５の含有量に対して、それらの成分の含有量は非常に多くなった。このため、リン１０５を肥料として土壌に供給する場合には、これらの担体１０１等の供給量も多くなり、全体の投入量に対する有用成分の回収率が低下するばかりでなく、土壌等の環境負荷が増大する。
【００１１】
本発明は上記の課題を解決するためになされたものであり、低コストで、かつ回収率が大きく、環境適合性にも優れた吸着装置を提供することを目的とする。
【課題を解決するための手段】
【００１２】
本発明に係る吸着装置は、被処理流体に含まれる被吸着物質を吸着する微粒子からなる吸着剤と、少なくとも前記吸着剤の粒子径よりも大きな孔部を有する担体と、前記孔部の径を変化させる孔径変化手段と、前記孔部の径が前記吸着剤の粒子径よりも大きいときに前記吸着剤を前記担体に供給する吸着剤担体供給手段と、前記孔径変化装置により前記孔部の径を前記吸着剤の粒子径以下に小さくさせて前記吸着剤を前記担体に結合させる吸着剤担体結合手段と、前記担体に結合した吸着剤に被処理流体を接触させて被吸着物質を前記吸着剤に吸着させる吸着剤被吸着物質接触手段と、前記孔径変化手段により前記孔部の径を前記吸着剤の粒子径よりも大きくさせて被吸着物質を吸着した状態で前記吸着剤を前記担体から脱離させる吸着剤回収手段と、を有することを特徴とする。
【発明の効果】
【００１３】
本発明の吸着装置によれば、酸やアルカリ等の薬品を使用することなく、リン等の有用な被吸着物質の回収率を高めることができるとともに、環境負荷を小さくすることができる。
【図面の簡単な説明】
【００１４】
【図１】（ａ）〜（ｆ）は本発明の第１の実施形態に係る吸着装置の構成と作用を説明するための工程断面図。
【図２】本発明の第２の実施形態に係る吸着装置を示す構成ブロック図。
【図３】本発明の第３の実施形態に係る吸着装置を示す構成ブロック図。
【図４】本発明の第４の実施形態に係る吸着装置を示す構成ブロック図。
【図５】本発明の第５の実施形態に係る吸着装置を示す構成ブロック図。
【図６】（ａ），（ｂ）は図５に示す第５の実施形態の装置の作用を説明するための工程断面図。
【図７】（ａ），（ｂ）は第５の実施形態の変形例の作用を説明するための工程断面図。
【図８】（ａ）〜（ｆ）は本発明の第６の実施形態の吸着装置の構成と作用を説明するための工程断面図。
【図９】従来の吸着装置の作用を説明するための工程断面図。
【図１０】他の従来の吸着装置の作用を説明するための工程断面図。
【発明を実施するための形態】
【００１５】
本発明者らは、微粒子からなる吸着剤の挙動について鋭意研究した結果、吸着剤にバインダや芯剤等の担体を付属させなければ、吸着済みの吸着剤を回収した場合に上記(i)と(ii)の課題がともに解決されうるという知見を得た。そこで、本発明者らは、吸着前には担体に保持された状態で吸着剤が担体とともに被処理流体と流動接触し、吸着後には被吸着物質を吸着した状態で吸着剤が担体から容易に離脱しうるような装置構成について検証してみた。その結果、種々の機能を有する担体に吸着剤を保持させることが上記課題を解決する上で非常に有効であるということを見出した。本発明はこれらの知見に基づいてなされたものであり、以下の特徴を有するものである。
【００１６】
(1)本発明の吸着装置は、被処理流体に含まれる被吸着物質を吸着する微粒子からなる吸着剤と、少なくとも前記吸着剤の粒子径よりも大きな孔部を有する担体と、前記孔部の径を変化させる孔径変化手段と、前記孔部の径が前記吸着剤の粒子径よりも大きいときに前記吸着剤を前記担体に供給する吸着剤担体供給手段と、前記孔径変化装置により前記孔部の径を前記吸着剤の粒子径以下に小さくさせて前記吸着剤を前記担体に結合させる吸着剤担体結合手段と、前記担体に結合した吸着剤に被処理流体を接触させて被吸着物質を前記吸着剤に吸着させる吸着剤被吸着物質接触手段と、前記孔径変化手段により前記孔部の径を前記吸着剤の粒子径よりも大きくさせて被吸着物質を吸着した状態で前記吸着剤を前記担体から脱離させる吸着剤回収手段と、を有するものである。
【００１７】
本発明では被吸着物質を含む排水または排ガスが処理対象となる。このうち排水は、被吸着物質として各種のイオン、例えばリンイオン、ホウ素イオン、フッ素イオン、油分などを含むものである。一般的な下水道由来の排水は、リン酸イオンを多く含み、とくに前処理をしない原水の状態では中性から弱酸性までの範囲にある。一方、排ガスは、被吸着物質として各種の酸化化合物ガス、例えばSOx、NOx、CO2等を含むものである。
【００１８】
本発明では、吸着剤に各種の粘土鉱物からなる微粒子を用いることができる。粘土鉱物の微粒子は、例えばハイドロタルサイト、カオリナイト、スメクタイト、モンモリロナイト、セリサイト、イライト、グローコナイト、クロライト、タルク、ゼオライトからなる群より選択される１種又は２種以上を混合した微粒子からなるものを用いる。これらの粘土鉱物をメカニカルな方法またはメカノケミカルな方法を用いて粉砕し、粒度調整して所望粒径の粉体を吸着剤として得る。これらの粘土鉱物粒子のうち特にハイドロタルサイト粒子を本発明の吸着剤に用いることが望ましい。ハイドロタルサイト粒子はリン酸イオンを極めて効率良く吸着するからである。このようなハイドロタルサイト粒子は、無機層状化合物に由来する比重１を超える平均粒径０．１〜２０μｍ程度の微粒子である。具体的なハイドロタルサイト粒子として例えばハイドロタルク石粒子などがある。
【００１９】
本発明では、担体として各種の繊維を用いることができる。担体に用いる繊維には、動植物から採取される各種の天然繊維、および石油等の原料から化学合成される各種の繊維が含まれる。具体的な担体として綿、アクリル、レーヨン、麻、絹、羊毛などを用いることが好ましく、このうち綿が最も好ましい。綿はリン等の有用成分を高い吸着率で吸着できるからである。
【００２０】
本発明の吸着装置によれば、被吸着物質を吸着した状態で吸着剤を担体から脱離させて被吸着物質を吸着剤とともに回収することができるため、吸着剤の解離や溶液の中和のために使用される従来の酸やアルカリ等の薬品が不要になり、リン等の有用な被吸着物質の回収率が高まるとともに、環境負荷が小さくなる。
【００２１】
(2)本発明において、被処理流体が水であり、かつ担体が吸水性物質からなる場合は、上記の孔径変化手段が、担体に対して水分の供給と除去を行うことにより孔部の径を変化させるものであることが好ましい。担体が吸水して膨張すると、孔部が狭まってその径が小さくなり、吸着剤を担体に結合・保持する力が増大し、これとは逆に担体が脱水して収縮すると、孔部が拡大してその径が大きくなり、吸着剤を担体に結合・保持する力が解除（低減）され、担体から吸着剤が脱離しやすくなる。
【００２２】
(3) 本発明において、被処理流体が被吸着物質を含む排水であり、かつ担体が吸水性物質からなる場合は、上記の孔径変化手段が、被吸着物質を含む排水中に担体を浸漬させることにより該担体に被吸着物質と水分を供給し、担体を排水中から離脱させることにより担体から水分を除去し、担体を膨張または収縮させることにより孔部の径を変化させるものであることが好ましい。この場合に、担体を排水中に浸漬させるために排水を一時的に溜めておく吸着槽を用いることができる。上述の場合と同様に、担体を吸水膨張または脱水収縮させ、孔部を縮小または拡大させることにより、吸着剤を担体に結合保持させるか又は担体から脱離させることが容易になる。
【００２３】
(4) 本発明において、被処理流体が被吸着物質を含む排水であり、かつ担体が吸水性物質からなる場合は、上記の孔径変化手段が、担体を支持する支持体と、前記支持体とともに担体を、被吸着物質を有する排水中と排水以外の気相部分とに循環移動させるか、または往復移動させる移動させる担体移動手段と、を有することが好ましい。担体移動手段にはベルトコンベア機構（図２、図４）や巻上げ機構（図３）を用いることができる。ベルトコンベア機構の場合は、支持体として無限軌道状のコンベアベルトが用いられ、巻上げ機構の場合は、支持体として軸まわりに回転駆動される丸棒が用いられる。担体を支持体に支持させる方法として、ゴムまたは樹脂からなるコンベアベルトの表面に担体を接着剤により接着するようにしてもよいし、ゴム、樹脂、セラミックまたは金属からなる丸棒の外周に担体としての綿糸を巻き付けるようにしてもよい。
【００２４】
(5) 本発明において、上記の吸着剤回収手段が、吸着剤が結合された担体の面を機械的に接触または攪拌または振動させることにより前記被吸着物質を吸着した吸着剤を前記担体の孔部から離脱させる吸着剤離脱手段を有することが好ましい。機械的接触手段として吸着剤を孔部のなかから掻き出すブラシを用いることができる（図５、図６）。機械的攪拌または振動手段として吸着剤を孔部のなかから吹き飛ばす液ジェットノズル機構またはガスジェットノズル機構を用いることができる（図７）。
【００２５】
(6) 本発明において、上記の担体は、温度変化、電気的刺激、ｐＨ変化、および塩濃度変化のうちの少なくとも１つの外部刺激を受けたときに前記孔部の径が変化する機能性物質からなり、前記孔径変化手段は、前記機能性物質からなる担体に対して前記外部刺激のうちの少なくとも１つを直接または間接に印加して前記孔部の径を変化させることが好ましい。機能性物質として温度に応じて膨潤状態から収縮状態に変化するＮ-イソプロピルアクリルアミドを用いることができる（図８）。Ｎ-イソプロピルアクリルアミドは、室温（２０℃）では膨潤状態にあるが、これを加熱して４０℃に昇温すると収縮状態に移行して変わるからである。さらに、Ｎ-イソプロピルアクリルアミドは、外部刺激として温度変化の他にｐＨ変化によっても状態が変化する。すなわち、ｐＨが酸性領域になるにしたがってＮ-イソプロピルアクリルアミドは収縮し、ｐＨがアルカリ性領域になるにしたがってＮ-イソプロピルアクリルアミドは膨張する。この他に機能性物質として電気的刺激を受けて形状が変化する電場応答型高分子素材を用いることができる。電場応答型高分子素材は、基本的に電荷を有する高分子ゲルからなり、電場に応答して膨潤−収縮反応を示すため、例えば、負電荷を有するポリアクリルアミド誘導体として、ポリ−２−アクリルアミド−２−メチルプロパンスルホン酸（ＰＡＭＰＳ）、ポリアクリルアミド（ＰＡＡｍ）の部分加水分解ゲル、また、正電荷を有するポリアクリルアミド誘導体として、ポリジメチルアミノプロピルアクリルアミド（ＰＤＭＡＰＡＡ）ゲル等をあげることができる。電場による駆動は最も制御しやすい外部刺激と考えられるため、これらの電場応答型高分子素材は、人工筋肉モデル、ケミカルバルブ、薬物放出制御、人工神経モデル等への応用が検討されている。また、電場応答型高分子とは、電場刺激により相転移し、収縮・膨潤を起こす高分子をいうが、このような高分子を構成するアクリルアミド系モノマーとしては、具体的には、荷電を有するアニオン性、カチオン性及び両性高分子のアクリルアミド系モノマーが挙げられ、具体的には、アニオン性モノマーである、ＡＭＰＳ、アクリル酸（ＰＡＡ）、メタクリル酸（ＰＭＡＡ）が挙げられるが、ＰＡＭＰＳのモノマーである２−アクリルアミド−２−メチルプロパンスルホン酸（ＡＭＰＳ）を用いることが好ましい。さらに、棒状に調製した上記の温度・電場応答型コポリマーのゲルを、３０℃の温度条件下で収縮した状態を与える１０ｍＭＬＰＣ水溶液に平衡膨潤させ、３０℃の温度条件下で２０Ｖの電場を印加すると、ゲルの陰極側が膨潤、陽極側が収縮し、結果として、ゲル全体が陽極側に屈曲した。これはゲルの陰極側においては、アミノ基を有するＬＰＣの脱離により濃度が低くなることから、ゲルのスルホン酸基がイオン性水和を起こし、３０℃の温度条件では膨潤し、相対的に膨潤度に差が生じたことによる。
【００２６】
以下、添付の図面を参照して本発明の種々の好ましい実施の形態について説明する。
【００２７】
（第１の実施形態）
図１を参照して本発明の第１の実施形態に係る吸着装置を説明する。
【００２８】
本実施形態の吸着装置１は、表面に開口する多数の孔部１２を有する担体１１を備えている。担体１１は、吸水性繊維である綿からなり、乾燥（又は脱水）時に収縮して図１の（ａ）（ｂ）（ｅ）に示すように孔部１２の径ｄ１が吸着剤３の粒子径ｄ２より大きいが、吸水時に膨潤して図１の（ｃ）（ｄ）に示すように孔部１２の径ｄ１が吸着剤３の粒子径ｄ２と等しいか又は小さくなる機能を有している。なお、担体１１は、図示しない被処理流体と流動接触可能な状態になるように図示しない支持体によって支持されている。
【００２９】
本実施形態では、吸着剤３として所定粒径（平均粒径０．１〜２０μｍ）のハイドロタルサイトから成る微粒子を用いた。吸着剤３の平均粒径ｄ２は、乾燥又は脱水時における担体の孔部１２の平均内径ｄ１よりも小さい。この吸水性担体１１の内部及び表面には水分１３が浸漬され、また、この孔部１２内に配置された吸着剤３は被吸着物質たるリン５と結合され、リン吸着済みの吸着剤６と成る。
【００３０】
以下に本実施形態の吸着装置の作用を説明する。
【００３１】
（１）吸着剤供給
図１の（ａ）に示す状態にある綿から成る吸水性担体１１を支持体（図示せず）上に準備する（工程Ｓ１）。この担体１１に対してハイドロタルサイト粒子からなる吸着剤３を供給することによって、この吸着剤３の平均粒子径ｄ２は乾燥又は脱水時の担体孔部１２の平均内径ｄ１よりも小さいので、図１の（ｂ）に示すように吸着剤３は孔部１２のなかに入り込んだ状態で担体１１の上に配置される（工程Ｓ２）。
【００３２】
（２）水分供給
次いで、吸着剤３を配置した吸水性担体１１に対して、水分１３を供給することによって、この吸水性担体１１内に水分を浸漬させる（工程Ｓ３）。この時、図１の（ｃ）に示すように、吸水性担体１１は水分１３によって水分供給前の吸水性担体の位置１７から水分供給後の吸水性担体の位置１８まで膨潤し、その体積が増加して、縮小径ｄ２の孔部１２Ａをもつ水分吸収済みの吸水性担体１１Ａと成る。すなわち、担体１１Ａの膨潤にともない孔部の内径がｄ１からｄ２まで縮小化する。この孔部の内径の縮小化によって、この内部に配置された吸着剤３と孔部１２Ａとの間隙が無くなり、吸着剤３はこの縮小化した孔部１２Ａに嵌まり込んだ状態で担体１１Ａに強固に保持される。これにより、吸着剤３は吸水性担体１１Ａに結合される。
【００３３】
（３）被吸着物質の供給
次に、図１の（ｄ）に示すように被吸着物質たるリン５を、上記吸着剤３を結合した吸水性担体１１Ａに供給することによって、この吸着剤３の吸着作用によって、リン５が吸着剤３に吸着結合される（工程Ｓ４）。
【００３４】
（４）水分除去
次に、この水分吸収済みの吸水性担体１１Ａは、自然乾燥処理することによって、図１の（ｅ）に示すように、その水分が除去されて、水分除去済みの吸水性担体１１と成る（工程Ｓ５）。この水分除去済みの吸水性担体１５は、水分が除去されたことによって、その体積が元の吸水性担体１１まで戻る。よって、その孔部１２も元の水分が供給する前の状態に戻り、孔部１２の内径が吸着剤３ｂの粒子径よりも大きくなる。
【００３５】
（５）被吸着物質の回収
この水分除去済みの吸水性担体１１を上下反転することによって、図１の（ｆ）に示すように、リン吸着済みの吸着剤６は自然に落下して、図示しない回収容器に回収される（工程Ｓ６）。リン吸着済みの吸着剤６を回収した後、水分除去済みの吸水性担体１１を再利用することができる（工程Ｓ６→工程Ｓ１）。
【００３６】
本実施形態の吸着装置により得られる効果を以下に列挙する。
【００３７】
（ａ）低コストかつ吸着能力高い；（吸水性担体、綿製、水分の供給と除去）
（i）担体として、吸水性担体１１を用いたので、熱や光等によりその体積が変化する機能性担体に比べて、安価でかつ多量に市販されており、低コストの吸着装置の製作が容易となる。
【００３８】
（ii）吸水性担体１１として綿を用いたので、他の吸水性素材である、アクリル、レーヨン、麻、絹、羊毛等に比べて、吸水性が高く、上記項目（２）の水分供給の反応が迅速化し、吸着能力の高い、吸着装置を提供できるというメリットを有する。
【００３９】
（iii）孔径変化装置として、吸水性担体１１、水分１３の供給と除去による装置を用いたので、水の供給や自然乾燥という安価でかつシンプルな吸着装置を提供することが可能となる。
【００４０】
（ｂ）回収物純度が高い；（ハイドロタルサイト吸着剤）
吸着剤３としてハイドロタルサイト微粒子を用いたので、対象となる被吸着物質５たるリンを特異的に吸着することができ、リン以外の吸着しやすいイオン性の物質の吸着を防止できる。そのため、被吸着物質５たるリンのみを高純度で回収できる、回収物純度の高い、吸着装置を提供することができるという利点を有する。
【００４１】
（第２の実施形態）
（ａ）ベルトコンベア式吸着装置
次に、図２を参照して第２の実施形態に係る吸着装置を説明する。
【００４２】
本実施形態の吸着装置１Ａにおいて、リンを含む原水を供給する原水供給源２１は、ラインＬ３を介して吸着槽２２に連結されており、さらにこの吸着槽２２の下流側出口はラインＬ４を介して処理水貯留部２９に連通している。この吸着槽２２内には、綿製の吸水性担体１１をベルト表面の構成とするベルトコンベア装置２６、回転軸２７、モータ２８を順次介して、そのベルトコンベア装置２６の半分が吸着槽２２内の液部分に浸漬するように斜め約４５度の角度で配されている。このベルトコンベア装置２６の上部には、ハイドロタルサイトを吸着剤３とする吸着剤貯留槽２３が、ポンプ３１を有するラインＬ１を介して連通している。また、その連通部の側方には、水槽２４がポンプ３２を有するラインＬ２を介して連通している。このベルトコンベア装置２６の中央部で吸着槽２２の液面上方部に、回収槽２５が配設されている。この回収槽２５は、ラインＬ５を介して回収部３０に連通している。
【００４３】
本実施形態の装置の作用を説明する。
【００４４】
原水は供給源２１からラインＬ３を介して吸着槽２２内に供給される。供給された原水中の被吸着物質５たるリンは、後述する吸着反応後に、リンが低減された処理水としてラインＬ４を介して回収槽２５から回収部３０に排出される。
【００４５】
吸着反応としては、以下の（１）〜（５）の順で行われる。
【００４６】
（１）吸着剤供給
ポンプ３１を駆動することによって、吸着剤貯留槽２３に貯留している吸着剤（ハイドロタルサイト）３を、ラインＬ１を介してベルトコンベア装置２６の上部表面の位置Ｐ１に供給する。供給された吸着剤３は、このベルトコンベア装置２６の表面の吸水性担体１１と接触することによって、上述した図１の作用と同様に、その吸水性担体の孔部１２の内部に配置される。
【００４７】
（２）水分供給
その後、モータ２８を一定時間駆動することによって、回転軸２７を移動方向３８に回転させて、ラインＬ２の下方位置Ｐ２までベルトコンベア装置２６を移動させる。ベルトコンベア装置２６表面の吸水性担体１１の孔部１２に配置された吸着剤３は、ポンプ３２を駆動することによって、水槽２４中からラインＬ２を介して供給された水と接触する。この水と吸着剤３との接触によって、上述した図１の作用と同様に、吸水性担体１１の孔部１２の内径が縮小化して、吸着剤３がこの孔部１２Ａ内に結合される。
【００４８】
（３）被吸着物質の供給
次に、モータ２８を一定時間駆動することによって、回転軸２７を同方向３８に回転させて、当該吸着剤３が孔部１２内に結合した部分が、吸着槽２２内の液体部分の位置Ｐ３に浸漬される。この液体部分には、ラインＬ３を通って供給源２１から供給された原水中の被吸着物質たるリン５が含まれており、このリン５と孔部１２内に結合した吸着剤３（ハイドロタルサイト）と接触する。この接触の際、上述した図１の作用と同様に、吸着剤３に被吸着物質たるリン５が吸着される。
【００４９】
（４）水分除去
次に、モータ２８を逆方向の移動方向３９に回転させて、ベルトコンベア装置２６の当該吸着部分を、吸着槽２２の液体部分の上方、気相部分の位置Ｐ４まで移動させる。このＰ４部分に到達した当該吸着部分の周辺は自然乾燥されて、上述した図１の作用と同様に、担体１１から水分が除去される。
【００５０】
（５）被吸着物質の回収
さらに、上記水分が除去された結果、前述の通り、孔部１２の内径が拡大して、孔部１２内に結合された吸着済みの吸着剤６が自然落下する。また、ベルトコンベア装置２６の移動による振動作用により、上向き部分に配された吸着済みの吸着剤６も、当該孔部１２から脱離して自然落下する。
【００５１】
自然落下した吸着済みの吸着剤６は、回収槽２５内に蓄積され、さらにラインＬ５を介して回収部３０に排出される。
【００５２】
本実施形態の効果は、以下の通りである。
【００５３】
（ａ）装置がコンパクトで、既存の水処理装置を有効利用可能；（水槽内への浸漬）
（i）担体を排水中に浸漬する方法で孔径変化装置を構成しているので、既存の排水処理装置、例えば下水処理場の最初沈殿池、曝気槽、最終沈殿池、汚泥濃縮槽上澄み、汚泥脱水液貯留槽などに、原水供給源２１、吸着槽２２、水配管ラインＬ３，Ｌ４を除く、各部品を配置することにより、当該吸着装置を提供することが可能となる。
【００５４】
従って、装置がコンパクトになるとともに、上記既存の水処理装置も有効利用することが可能となり、多様な排水に適用することができる。
【００５５】
(ii)液相部分と気相部分とを循環移動する方式で孔径変化装置を構成しているので、上記（ａ）-（i）の効果が得られる。それとともに、既存の排水処理装置の中で、上記の部品のみならず、下水処理場のポンプ井にあるスクリーン装置、最初沈殿池もしくは最終沈殿池底部にある汚泥掻き寄せ機を利用することができる。このため、さらに既存の水処理装置も有効利用することができ、低コストでかつシンプルな吸着装置を提供することが可能となる。
【００５６】
また、担体１１を循環移動させるので、ベルトコンベア装置２６が上向きの位置Ｐ１に吸着剤３を多量に結合させることができ、同装置２６が下向きの位置Ｐ４で吸着済みの吸着剤６を自然落下の低エネルギで回収することができ、省エネルギで、かつ吸着効率が高くなるというメリットを有する。
【００５７】
（第３の実施形態）
（ｂ）巻上げ式吸着装置
次に、図３を参照して第３の実施形態に係る吸着装置を説明する。なお、本実施形態が上記の実施形態と共通する部分の説明は省略する。
【００５８】
本実施形態の吸着装置１Ｂは、吸着槽２２内の被処理排水中に下半部が浸漬された丸棒状の担体移動装置４０を備えている。担体移動装置４０は、ワイヤ４１から離脱可能でかつ回転機能を有する丸棒状の本体４０ａと、ワイヤ４１と、回転軸４２を有するモータ４３とを有する。丸棒状の本体４０ａにはワイヤ４１および回転軸４２がそれぞれ連結されている。また、丸棒状の本体４０ａの外周にはほぼ全長にわたり綿糸からなる担体１１が巻き付けられている。
【００５９】
本実施形態の作用を説明する。
【００６０】
モータ４３を駆動することによって、ワイヤ４２を巻き上げたり、吊りおろしたりして、担体移動装置の本体４０ａを上下の移動方向４４に移動させる。この移動によって、移動担体装置４０が吸着槽２２内の液面を上がったり下がったりさせる。また、位置Ｐ４の位置には、回転方向４５で移動担体装置４０を回転することにより移動させる。
【００６１】
本実施形態の効果を説明する。
【００６２】
本実施形態の装置１Ｂは、図２に示す第２実施形態のベルトコンベア装置２６に比べて、ワイヤ４２から離脱可能な担体移動装置４０を用いたので、それを上部に引き上げて取り外した後に、メンテナンスを容易にすることが可能となる。
【００６３】
この担体移動装置の本体４０ａの外周に巻き付けられた担体１１の表面、特に孔部１２内に、排水中の汚濁物質や吸着槽２２内に増殖した微生物などが混入して、その吸水性担体１１としての機能が低下した場合であっても、その表面を水や薬品などで洗浄する等の保守点検作業を施すことで、元の状態に回復させることができる。
【００６４】
また、棒状の担体移動装置の本体４０ａを用いたので、これを複数配置することにより、その複数ごとに担体移動装置４０を運転管理することが可能となる。このため、担体移動装置４０の一部にメンテナンスが必要となった場合、個別にメンテナンスをすることができ、運転管理の効率が向上するとのメリットを有する。
【００６５】
（第４の実施形態）
（ｃ）水平移動型のベルトコンベア式吸着装置
次に、図４を参照して第４の実施形態に係る吸着装置を説明する。なお、本実施形態が上記の実施形態と共通する部分の説明は省略する。
【００６６】
本実施形態の吸着装置１Ｃでは、ベルトコンベア装置２６Ａを、図２に示した第２の実施形態の斜め移動型から、図４に示すように水平移動型に変更している。このベルトコンベア装置２６Ａは、その四方角部に、回転軸２７ｂ、２７ｃ、２７ｄ、２７ｅがそれぞれ配設されている。また、回収槽２５は、吸着槽２２の液体上方でかつベルトコンベア装置２６Ａの上方移動よりも下方に配設されている。
【００６７】
本実施形態の作用を説明する。
【００６８】
ベルトコンベア装置２６Ａでは、モータ２８を駆動させ、回転軸２７ｂ〜２７ｅを各々使用して、コンベアベルト２６ｂを吸着槽２２内の被処理水中に循環浸漬移動させる。
【００６９】
本実施形態の効果を説明する。
【００７０】
本実施形態の装置１Ｃではベルトコンベア装置２６Ａを水平移動型としたので、吸着剤貯留槽２３からの吸着剤３の供給、水槽２４からの水分１３の供給などが水平状態で実施されるので、孔部１２内への吸着剤３の配置や、水分１３の供給により孔部１２の内径縮小化による吸着剤３の結合・保持などの作用が促進される。その結果、吸着効率が向上するメリットを有する。
【００７１】
（第５の実施形態）  
次に、図５〜図７を参照して第５の実施形態に係る吸着装置を説明する。なお、本実施形態が上記の実施形態と共通する部分の説明は省略する。
【００７２】
本実施形態の吸着装置１Ｄは、機械接触型の担体掻き取り装置５０を有するベルトコンベア式吸着装置２６を備えている。すなわち、ベルトコンベア装置２６の上方に、担体掻き取り装置５０が取り付けられ、図６の（ａ）に示すように担体掻き取り装置５０には毛先の細かいブラシ毛５１を備えている。また、そのかき取り装置５０の下方で、吸着槽２２の液面上方部に、回収槽２５ｂが配設されている。
【００７３】
本実施形態の作用を説明する。
【００７４】
上記第２の実施形態の作用と（１）吸着剤供給、（２）水分供給、（３）被吸着物質の供給までは同じであるが、（４）水分除去は、移動方向３９と逆回転するのではなくて、移動方向３８と（１）〜（３）と同方向に回転させることによって、図５のかき取り装置５０の配置の下方部分まで移動させる。次いで、（５）被吸着物質の回収も、図６の（ａ）に示すように、ブラシ毛５１の先端部が吸着済みの吸着剤６と接触することによって、図６の（ｂ）に示すように吸着済みの吸着剤６が孔部１２から押し出されて、図５の回収槽２５ｂ内に蓄積され、回収される。
【００７５】
本実施形態の効果を説明する。
【００７６】
図１〜図４に示したように、水分除去済みの吸水性担体１１（図１）や、ベルトコンベア装置２６の表面を、下方に逆転することなく、上方の状態でも回収することができる。したがって、上方部分に孔部１２を有する場合であっても回収可能となり、回収効率が向上するとのメリットを有する。
【００７７】
また、これに関連する他の実施例として、このかき取り装置５０も図５の位置に限定されない。すなわち、図５の位置の下方など気相部分であればいずれにも配置することが可能である。この下方に設置している場合には、前述の通り、自然落下作用に加えて、当該機械接触作用も加わるので、孔部１２からの吸着済みの吸着剤６の回収効率がさらに向上するとのメリットを有する。
【００７８】
さらに、図７に示した変形例のように、送風機５２をコンベアベルトの担体保持面に対向配置して、送風機５２から気流５３ａ、５３ｂを発生させることによって、吸着済みの吸着剤６の表面を攪拌することもできる。この場合の効果としては、この吸着済みの吸着剤６の孔部１２からの離脱が高速化するとのメリットを有する。
【００７９】
また、図示はしないが、このベルトコンベア装置２６を強制的に振動させることによって、かかる離脱を図ることも可能である。この効果としては、新たに上記かき取り装置５０や送風機５２を設置しなくとも、かかる離脱をさせることができるので、装置がシンプルでかつ設置容積が低減できるとのメリットを有する。
【００８０】
（第６の実施形態）  
次に、図８を参照して第６の実施形態に係る吸着装置を説明する。なお、本実施形態が上記の実施形態と共通する部分の説明は省略する。
【００８１】
本実施形態の吸着装置１Ｅでは、担体１１の孔部１２の開口周壁に温度変化応答性を有する機能性材料６０を取り付け、この機能性材料６０を用いて孔部１２の径を変えるようにしている。
【００８２】
本実施形態では、温度応答機能性部材として温度応答性を有する中空糸膜を用いる。
【００８３】
温度応答性中空糸膜は、グラフト重合されたＮ-イソプロピルアクリルアミド（孔径調整材）で外面が覆われ、室温で平均直径が０．１〜２０μｍの孔部を有するものである。ちなみに、Ｎ-イソプロピルアクリルアミドはそのもの自体が単独では温度応答性を有していないが、これを重合した高分子は温度応答性を有するようになる。グラフト重合されたＮ-イソプロピルアクリルアミドの高分子鎖は、その側鎖にアミド基を有し、室温近傍の閾値温度（３２℃）以下において水和して膨張するが、この閾値温度を超えると脱水和して収縮する。本実施形態では、加熱または冷却時におけるＮ-イソプロピルアクリルアミドの高分子鎖の膨張／収縮の変化を利用して、吸着剤の捕捉または脱離を行う。このような温度応答機能性材料６０は、Ｎ−イソプロピルアクリルアミドから成る材料であり、常温の２０℃では膨潤状態であるが、加熱後の４０℃では収縮状態となるものである。
【００８４】
このような温度応答性中空糸膜は、次のようにして製造する。
【００８５】
複数の中空糸膜を集めてＵ字状に結束し、その中空糸膜の束の先端にガス導入管付きキャップを被せて窒素ガスを封入する。次いで、キャップを装着した状態で中空糸膜の束を反応容器内に装入し、これにオゾンガスを供給し、中空糸膜の束をオゾンガスに所定時間だけ曝露する。次いで、圧縮空気を反応容器内に供給し、オゾンガスを反応容器から排出し、中空糸膜の束を空気雰囲気下におく。次いで、５％濃度のＮ-イソプロピルアクリルアミド溶液をヒータで約６０℃に加温し、これを反応容器内供給し、加温循環させながら中空糸膜の束をＮ-イソプロピルアクリルアミド溶液に所望時間浸漬し、中空糸膜の外表面をグラフト重合させる。これにより温度応答機能を有する中空糸膜が得られる。
【００８６】
本実施形態の作用を説明する。
【００８７】
担体１１の孔部１２の上部端部に、室温時の状態にある温度応答機能性材料６０が連結されている。図８の（ａ）に示した温度応答機能性材料６０は室温時の状態にある（工程Ｋ１）。この状態で、孔部１２の内径が吸着剤３の粒子径よりも大きい状態にあり、図８の（ｂ）に示すように当該吸着剤３がこの孔部１２内に配置される（工程Ｋ２）。また、４０℃に加熱６２の処理をすることによって、図８の（ｃ）に示すように加熱時の温度応答機能性材料部６０Ａとなって収縮状態となり、当該吸着剤３を担体１１に結合させる（工程Ｋ３）。
【００８８】
原水供給源２１から被処理排水を担体１１に供給し、図８の（ｄ）に示すように被吸着物質５たるリンを吸着剤３に吸着させる（工程Ｋ４）。
【００８９】
吸着剤３は被吸着物質５たるリンを吸着した後は、２０℃に冷却６３の処理されることによって、図８の（ｅ）に示すように常温時の温度応答機能性材料部６０Ａと変化させて、孔部１２の内径を拡大させる（工程Ｋ５）。担体１１を上下反転させることによって、図８の（ｆ）に示すように回収目的物質である吸着済みの吸着剤６を回収する（工程Ｋ６）。
【００９０】
本実施形態の効果を説明する。
【００９１】
本実施形態の装置では、機能性材料として、温度応答性材料を用いたので、加熱、冷却という熱交換や排熱処理などの安価でかつシンプルなシステムを構築できる。
【００９２】
また、担体１１の一端に温度応答機能性材料部を設けたので、かかる材料を最小化でき、安価なシステムが構築できる。
【００９３】
また、機能性として、温度を用いたので、孔部の内径制御が高速化できる。
【００９４】
また、温度として、４０℃の加熱を適用したので、加熱コストも低減できる。
【００９５】
上記のグラフト重合されたＮ-イソプロピルアクリルアミドで被覆された中空糸膜は、温度応答性機能以外の他の外的刺激としてｐＨ変化を受けて孔部の径が変わるｐＨ応答性機能部材としても用いることができる。
【００９６】
また、本発明の担体に用いる機能性材料として、例えば「化学便覧；応用化学編II材料編（社団法人日本化学会編、昭和６１年１０月１５日発行）」に記載されている導電性高分子材料や光電材料等を適用することも可能である。さらに、他の機能性材料として、塩分濃度変化に応答しうる材料を本発明の担体に適用することもできる。これらの効果として、光、電気供給により、孔部１２の内径を変化させることが可能となるので、水の供給に比べて、水中の汚濁物質による汚れ防止が図れるという利点がある。塩分濃度変化応答性を有する機能性材料を担体に用いる場合は、塩分が殺菌効果を有するので、孔部１２に細菌等が繁殖する等で劣化することを防止することが可能となる。
【符号の説明】
【００９７】
１，１Ａ，１Ｂ，１Ｃ，１Ｄ，１Ｅ…吸着装置、
３…吸着剤（ハイドロタルサイト粒子）、５…被吸着物質（リン）、
１１…収縮担体（脱水状態の担体）、１１Ａ…膨張担体（吸水状態の担体）、
１２…孔部、１３…水分、
２１…原水供給源、２２…吸着槽、２３…吸着剤供給源、２４…水供給源、
２５…回収容器、２６，２６Ａ…ベルトコンベア装置、２６ａ，２６ｂ…支持体、
２７…回転軸、２８…モータ、
２９…処理水貯留部、３０…回収部、
３１，３２…ポンプ、
３８，３９…移動方向、
４０…巻上げ式の移動担体装置、４０ａ…支持体、４１…ワイヤ、４２…回転軸、
４４，４５…移動方向、
５０…掻き取り装置、５１…掻き取り部材の先端部、
５２…送風ノズル、５３ａ，５３ｂ…気流、
６０…常温時の温度応答性機能材料、６０Ａ…加熱時の温度応答性機能材料、
６２…照射熱線、６３…放射熱線、
Ｐ１〜Ｐ３…位置、Ｌ１〜Ｌ５…ライン。
【図１】
2010279915.tif 000003
【図２】
2010279915.tif 000004
【図３】
2010279915.tif 000005
【図４】
2010279915.tif 000006
【図５】
2010279915.tif 000007
【図６】
2010279915.tif 000008
【図７】
2010279915.tif 000009
【図８】
2010279915.tif 000010
【図９】
2010279915.tif 000011
【図１０】
2010279915.tif 000012